(57)【特許請求の範囲】
【請求項１】
フラップ動作を行う天板に対し、そのフラップ動作の中心となる軸線と直交する天板奥行き方向の中央部の表面に配線取出口を設け、前記配線取出口を挟んで天板の奥行き方向の使用領域の一部又は全部が分断される場合において、前記天板の配線取出口を挟んで幅方向両縁部を、両領域にまたがるように配置したブラケットを介して脚体に支持させていることを特徴とするフラップテーブル。
【請求項２】
フラップ動作の中心となる前記軸線も、前記天板の奥行き方向の中央部付近に設定されている請求項１記載のフラップテーブル。
【請求項３】
天板奥行き方向の中心位置が、フラップ動作の中心となる軸線の位置に対して天板奥行き方向にオフセットさせてある請求項２記載のフラップテーブル。
【請求項４】
天板奥行き方向の中央部の下方位置に幕板を設け、フラップ動作時に天板が幕板の側方に平行に起立するように構成している請求項１〜３の何れかに記載のフラップテーブル。
【請求項５】
配線取出口の中に、天板奥行き方向の二方が少なくとも閉止された配線空間を形成している請求項１〜４の何れかに記載のフラップテーブル。
【請求項６】
天板の幅方向の縁部をブラケットを介して脚体に支持させるように構成して、ブラケット間を天板受部材で連結し、その天板受部材を利用して前記配線空間を閉じるための配線ダクトを構成している請求項５記載のフラップテーブル。
【請求項７】
左右のブラケット内にロック位置と非ロック位置の間で作動可能なロック片を設けて、その間を天板受部材に沿って平行に延びる連動軸で接続し、両ロック片を脚体の一部に係り合わせて天板を使用位置又は起立位置の何れかに選択的にロックするものであり、前記配線ダクトが前記連動軸を配線取出口から遮蔽する範囲に亘って配置されている請求項６記載のフラップテーブル。
【請求項８】
前記天板表面の配線取出口を開閉する位置に、カバーを、保持手段を介してフラップ動作中に閉止状態を維持し得る状態で配置している請求項１〜７の何れかに記載のフラップテーブル。
【請求項９】
閉止位置にあるカバーの側方に配線空間の一部を開放する開放部を設けて配線の引き出しを可能にしている請求項８記載のフラップテーブル。
【発明の詳細な説明】
【技術分野】
【０００１】
本発明は、フラップ動作する天板の中央に配線取出口を有効に形成したフラップテーブルに関するものである。
【背景技術】
【０００２】
フラップテーブルにおいて、配線処理のために、フラップ動作する天板面の後端部に開閉式のコンセントカバーを設け、幕板などの配線ダクトから配線を立ち上げる構成が特許文献１等において知られている。
【０００３】
同文献のものは、脚部に対して天板が上下回動し、天板が略水平状態の使用態様と立起状態の折畳み態様とを取ることが可能である折畳み式テーブルにおいて、天板の後部に、上部が該天板より上方へ突出し且つ下部が該天板より下方へ突出したフロントパネルを設け、このパネルを天板の回動動作に連動して立起状態と天板に沿って折畳まれた折畳み状態を取ることができるように構成されている。
【０００４】
また、これとの関係において、天板の後縁部であって左右中間部に単又は複数の切欠部を形成し、前記フロントパネルが天板の後縁に立起した状態で前記切欠部と該フロントパネルの前面とで配線用空間を形成した構成や、フロントパネルの前面下部にコード受けを設け、前記連動杆の一端を該コード受けの適所に枢着した構成が開示されている。
【先行技術文献】
【特許文献】
【０００５】
【特許文献１】特開２００１−２３８７３２号公報
【発明の概要】
【発明が解決しようとする課題】
【０００６】
ところで、この種のフラップテーブルは通常、複数人が利用する場合にも奥行き方向の縁部のうち利用者が着座する側の使用縁が決まっており、上記配線取出口は利用者の手の届く範囲に設定されているため使用上問題となることはない。
【０００７】
しかしながら、複数人が対面で利用可能な大型のフラップテーブルを構成しようとする場合に、天板面のこのような位置に配線取出口が存すると、一方の利用者にとっては天板面の利用の邪魔になり、他方の利用者にとっては配線取出口を利用できなくなるとともに、配線や集線等の処理も不均等になる。また、同文献のものはフロントパネルが幕板を兼ねるものであるが、対面使用状態を実現する場合には、幕板等の位置もフラップ動作との関係で再考する必要がある。
【０００８】
本発明は、上記の課題に善処し、天板が大型である場合等にも、配線処理を適切に行えるようにしたフラップテーブルを提供することを目的としている。
【課題を解決するための手段】
【０００９】
本発明は、かかる目的を達成するために、次のような手段を講じたものである。
【００１０】
すなわち、本発明のフラップテーブルは、フラップ動作を行う天板に対し、そのフラップ動作の中心となる軸線と直交する天板奥行き方向の中央部の表面に配線取出口を設け、前記配線取出口を挟んで天板の奥行き方向の使用領域の一部又は全部が分断される場合において、前記天板の配線取出口を挟んで幅方向両縁部を、両領域にまたがるように配置したブラケットを介して脚体に支持させていることを特徴とする。
【００１１】
このように、天板の奥行き方向の中央部に配線取出口を設けることで、天板の各部位からのアクセスをまんべんなく行うことができ、集線処理も容易になるため、フラップテーブルであっても電子機器類を利用し易い環境を有効に構築することが可能となる。
【００１２】
また、前記天板の配線取出口を挟んで幅方向両縁部を、両領域にまたがるように配置したブラケットを介して脚体に支持させていることから、配線取出口を天板の中央に設けることにより、配線取出口を挟んで天板の奥行き方向の使用領域の一部又は全部が分断される場合において、天板の強度を有効に確保することができる。
【００１３】
特に、天板がフラップ動作して良好な配線状態を維持するためには、フラップ動作の中心となる前記軸線も、前記天板の奥行き方向の中央部付近に設定されていることが望ましい。ここで、中央部の「付近」とは、上記の作用が得られる範囲であって、軸線が天板の奥行き方向の中心に合致している場合のほか、たとえば天板の奥行き方向の中心からの変位量が当該天板の厚み寸法の２〜３倍以内、或いは軸線が配線取出口から外れない範囲、或いは奥行き方向の中央から立ち上げた脚に付帯する固定ブラケットを天板の両側に設けた可動ブラケット内に収容できる範囲など、種々の基準に基づくことができる。
【００１４】
この場合、配線取出口に出入りする配線が回転軸等と干渉することを回避するためには、天板奥行き方向の中心位置が、フラップ動作の中心となる軸線の位置に対して天板奥行き方向にオフセットさせてあることが好ましい。
【００１５】
天板の中央に配線取出口を設けることとの兼ね合いで、幕板を適切に配置するためには、幕板を同様に天板奥行き方向の中央部の下方位置に設け、フラップ動作時に天板が幕板の側方に平行に起立するように構成しておくことが好適である。
【００１６】
天板のフラップ動作時に配線を適切に保つためには、配線取出口の中に、天板奥行き方向の二方が少なくとも閉止された配線空間を形成していることが望ましい。
【００１７】
このような配線空間を形成するにあたり、天板の幅方向の縁部がブラケットを介して脚体に支持され、ブラケット間が天板受部材で連結されている場合には、その天板受部材を利用して前記配線空間を閉じるための配線ダクトを構成していることが効果的である。
【００１８】
左右のブラケット内にロック位置と非ロック位置の間で作動可能なロック片を有し、その間が天板受部材に沿って平行に延びる連動軸で接続されて、両ロック片を脚体の一部に係り合わせて天板を使用位置又は起立位置の何れかに選択的にロックするように構成される場合には、前記配線ダクトを前記連動軸を配線取出口から遮蔽する範囲に亘って配置しておくことが好都合である。
【００１９】
フラップテーブルの中央に配線機能を持ち込む構成を実効あらしめるためには、前記天板表面の配線取出口を開閉する位置に、カバーを、保持手段を介してフラップ動作中に閉止状態を維持し得る状態で配置しているしていることが好ましい。
【００２０】
この場合、カバー閉止時における天板面の使い勝手を良好に保つためには、閉止位置にあるカバーの側方に配線空間の一部を開放する開放部を設けて配線の引き出しを可能にしていることが望ましい。
【発明の効果】
【００２１】
本発明は、以上説明した構成であるから、フラップ動作する天板に設けた配線取出口を、当該天板の使用位置で対面に着座した利用者等が適切に利用できるようになり、電子機器類を使用する際の配線処理も適切に行うことが可能になって、この種のフラップテーブルにおける新たな利用の形態を有効に提供することが可能となる。
【図面の簡単な説明】
【００２２】
【図１】本発明の一実施形態に係るフラップテーブルの使用状態を斜め上方から見た斜視図。
【図２】同フラップテーブルの一部分解した斜視図。
【図３】同フラップテーブルの使用状態を示す側面図。
【図４】同フラップテーブルの収納状態を示す側面図。
【図５】同フラップテーブルに組み込まれたトーションバーを示す部分正面図。
【図６】同フラップテーブルの配線取出口近傍の構造を示す部分破断斜視図。
【図７】同フラップテーブルにおけるバッテリの収納状態を示す部分側断面図。
【図８】同平面図。
【図９】同フラップテーブルの充電状態を示す斜視図。
【図１０】本発明の変形例を示す図。
【発明を実施するための形態】
【００２３】
以下、本発明の一実施形態を、図面を参照して説明する。
【００２４】
この実施形態のフラップテーブルＴは、図１及び図２に示すように、左右に対をなす脚体１と、これらの脚体１，１間を連結した状態で当該脚体１によってフラップ動作可能に支持される天板２とから構成される。
【００２５】
脚体１は、脚支柱１１と、この脚支柱１１の下端側を支持する位置に設けた前後に延びるベース脚１２とを具備し、左右の脚体１の上端部間を連結する位置に補強用の横架材１３が設けられたもので、脚体１の一部（この実施形態では横架材１３の両端部）に図３及び図４に示すような板状の固定ブラケット１４を脚体１から上方に向けて突出させている。横架材１３の下方には幕板１５が配置されており、ベース脚１２の下端はキャスター１２ａに支持されている。
【００２６】
一方、天板２は、図１、図２及び図９に示すような平面視楕円形状をなすもので、その下面に一対の可動ブラケット２１及び天板受部材２２が取り付けられる。可動ブラケット２１は、天板２の幅方向Ｘの両縁近傍の下面を支持する位置に奥行き方向Ｙに沿って配される袋状のもので、天板受部材２２は一対の可動ブラケット２１，２１の最寄りの立面間を接続する位置に設けられた角パイプ状をなす。これら可動ブラケット２１及び天板受部材２２はねじ等によって天板２の下面に取り付けられ、天板受部材２２は天板２の下面を幅方向Ｘに沿って支持することで天板２の反りを防止する。可動ブラケット２１の下端部には開口２１ａが設けられて、図３及び図４に示す固定ブラケット１４が挿入され、内部において当該可動ブラケット２１が支軸ｍ１を介し固定ブラケット１４に回転可能に連結されている。前記支軸ｍ１は、当該支軸ｍ１の軸心と直交する天板奥行き方向Ｙに沿って天板２の中心付近、具体的には、図３に示す天板２の中心位置Ｃから天板奥行き方向Ｙに沿って僅かにオフセットした位置に設定されている。支軸ｍ１は天板２がフラップ動作を行う際の軸線を与える。
【００２７】
左右の可動ブラケット２１内には、ロック位置と非ロック位置との間で支軸ｍ２の回りに回転するロック片２３が設けられている。左右のロック片２３の支軸ｍ２から変位した部位の間は、図２に示すように天板受部材２２に沿って平行に延びる連動軸２４によって連結されており、この連動軸２４が駆動されることによって、図３に示す天板２の使用位置２（Ｐ）でロック片２３に設定した第１の係り合い部２３ａが固定ブラケット１４の対応位置に設定した第１の被係り合い部１４ａに係り合い、図４に示す天板２の起立位置２（Ｑ）でロック片２３に設定した第２の係り合い部２３ｂが固定ブラケット１４の対応位置に設定した第２の被係り合い部１４ｂに係り合って、天板２を使用位置２（Ｐ）又は起立位置２（Ｑ）の何れかの位置に選択的にロックする。同時に天板２は、使用位置２（Ｐ）でその下面を固定ブラケット１４の上面１４ｃに支持され、起立位置２（Ｑ）でその下面を固定ブラケット１４の立面１４ｄに添設する位置に配される。図４に示す起立位置２（Ｑ）で天板２は脚支柱１１に対して平行とされる。図２に示すように、連動軸２４の幅方向中央部にはカバー２５ａで被覆した状態でロッド２５ｂが接続され、このロッド２５ｂは天板２の奥行き方向中央部から外縁付近にまで延びて、先端に操作レバー２５ｃが取り付けられる。そして、操作レバー２５ｃを牽引すると連動軸２４が作動し、前記ロック片２３が非ロック位置に向かう方向（図３及び図４における反時計回り）に駆動される。ロック片２３は操作力が解除された際にロック位置に向かう方向にバネ等によって弾性的に押し付けられている。
【００２８】
この実施形態では、図３に示すように天板２の厚みを無視すれば天板奥行き方向Ｙに沿って天板２の中心位置Ｃと重心位置Ｍとがほぼ合致する関係にあり、重心位置Ｍが支軸ｍ１に対して天板奥行き方向Ｙにオフセットさせてある。より具体的には、天板３の重心位置Ｍとの関係において前記支軸ｍ１の位置は、天板２がフラップ動作を行う際に重心位置Ｍが支軸ｍ１の真上に到来する傾斜姿勢２（Ｒ）の位置を思案点として、それよりも浅い角度で図３の使用位置２（Ｐ）に向かう回転モーメントが天板２に生じ、それよりも深い角度で図４の起立位置２（Ｑ）に向かう回転モーメントが天板２に生じる関係にある。
【００２９】
そして、図２及び図５に示すように、前記支軸ｍ１の軸心上にトーションバー４を配置して、一端４１側を前記可動ブラケット２１を貫通して固定部たる固定ブラケット１４に回転不能に支持させ、他端４２側を前記天板２の幅方向Ｘに沿って前記天板受部材２２の隣接位置に平行に延出させて、当該他端４２の近傍を天板受部材２２の側面に固定部たる固定片４３を介して天板２とともに一体回転するように固定している。図５は模式図であり、トーションバー４の少なくとも両端４１，４２を角柱形状にして、一端４１を内空が角孔である固定具４４に挿し通し、この固定具４４の外周を円筒面形状にして固定ブラケット１４に溶接等により固定し、可動ブラケット２１を前記固定具４４の外周に取り付けて支軸ｍ１の回りに回転可能に支持させるとともに、他端４２を固定片４３の角孔に挿入することによって、支軸ｍ１上でのトーションバー４と可動ブラケット２１との取り付けを両立させている。勿論、このような支軸ｍ１上でのトーションバー４と可動ブラケット２１との取付構造は一例に過ぎず、これに限られるものではない。トーションバー４の構造や機能自体は周知であるためここでの詳細は省略するが、一端４１と他端４２の間にねじりがない状態では弾性力を蓄積せず、固定された一端４１に対して他端４２が天板２の回転とともに回転してねじり変位が生じると、その変位に応じたねじり弾性力がトーションバー４に蓄積される。この実施形態では、天板２が図４に示す起立位置２（Ｑ）にあるときにねじれ変位がなく、この位置から天板２が図３に示す使用位置２（Ｐ）に向かって回転した際にトーションバー４がねじれを増大させて弾性力を蓄積するように設定されている。勿論、天板２がこれらの図において想像線で示す傾斜姿勢２（Ｒ）にあるときにねじれ変位が無いように設定することもでき、この場合には使用位置２（Ｐ）からの跳ね上げ操作及び起立位置２（Ｑ）からの倒伏操作の何れに対してトーションバー４による助勢作用を得ることができる。
【００３０】
このようなフラップテーブルＴは、オフィス等において随意の場所に運ばれて使用されるが、近似においてはフラップテーブルＴにおいても電子機器類を使用することが日常的となってきているため、移動先で電源が確保できない事態に備える必要がある。そこで、前記天板２には、図１及び図２に示すように、平面方向の一部の領域において、当該天板面２１よりも下方に、天板２の厚みを利用して天板面２１と平行な状態で板状のバッテリ５を収納するバッテリ収納部６（６ａ、６ｂ）を設けている。これらのバッテリ収納部６は、天板２の中央付近において、天板２の幅方向Ｘの中心を連ねた中心線ｖ及び奥行き方向Ｙの中心を連ねた中心線ｗで区画される各領域に１つずつ、計４箇所に設けられているもので、各バッテリ収納部６は、天板２の裏面側に一部を肉盗みした状態で設けた矩形状の凹部６１と、この凹部６１を閉止する位置にねじにより着脱される蓋部材たる裏板６２との間に構成されて、裏板６２を外すことによりバッテリ収納部６が裏面側に開放される。天板２の奥行き方向Ｙに沿って対をなす２つのバッテリ収納部６ａ、６ｂは、図７に示すように支軸ｍ１のほぼ両側に位置づけられている。天板奥行き方向Ｙに対をなす２つのバッテリ収納部６ａ、６ｂの間には、図６及び図７に示すように天板２を肉厚方向に打ち抜いた形態をなす矩形状の配線空間Ｓが形成され、各バッテリ収納部６ａ、６ｂは天板面２１に沿ってその一部が前記配線空間Ｓ側に開放されている。
【００３１】
配線空間Ｓの上方は天板面２１上に配線取出口２６として開口している。この配線取出口２６に関しても、図７に示すように、フラップ動作の中心となる軸線たる支軸ｍ１と直交する天板奥行き方向Ｙに沿った天板中央部（中心位置Ｃ）に当該配線取出口２６のセンターが位置し、天板奥行き方向Ｙに沿って両側の天板縁部２ｍ、２ｎから略均等に配線取出口として利用可能なものである。そして、この配線取出口２６の下に、天板受部材２２を利用して配線ダクト７が、図７の紙面に垂直な天板幅方向Ｘに沿って構成してある。この配線ダクト７は、図６に示すように、前記天板受部材２２を受容するように下方から天板裏面に取り付けられ一部にコ字形部分を含むダクト材７１の当該底壁７１ａと、天板奥行き方向Ｙに沿って対をなす一対の裏板６２の一方に設けた折曲片６２ａと、前記天板受部材２２の一方の立面２２ａとを組み付けた位置に上向きチャネル状に形成されたもので、天板奥行き方向Ｙの両側の壁（折曲片６２ａと立面２２ａ）及び天板下方Ｚの壁（底壁７１ａ）によって三方が閉じた配線空間７Ｓを形成し、その上方の前記配線空間Ｓに連通している。すなわち、幅広な配線空間７から幅狭な配線空間７Ｓへと配線類を落とし込める構造をなしている。この配線ダクト７は、裏板６２とともに前記トーションバー４や前記連動軸２４を配線取出口２６側から視認できないように遮蔽する位置及び範囲に亘って延びている。図９に示すように、左右の配線ダクト７を構成するダクト材７１，７１の間は分断していて、各配線ダクト７は側方の端部７ｘで開放されており、下から立ち上げた配線をそこから配線ダクト７内に導入することが可能とされている。図１に示す天板２の使用位置２（Ｐ）において、前記配線空間Ｓ等も、天板奥行き方向Ｙに沿って両側の天板縁部２ｍ、２ｎから中央配線空間として利用可能なものである
【００３２】
ここで、前述したように配線空間Ｓは天板２の中央を打ち抜いて配線取出口２６とともに形成されたものであり、配線取出口２６を挟んで天板２の奥行き方向Ｙの使用領域の一部が分断された状態になるが、前記天板２の配線取出口２６を挟んで幅方向両縁部側を支持するブラケット２１，２１は、前記分断された使用領域の側方において両領域にまたがるように位置づけられており、天板２の中央に配線取出口２６等を設けたことによる天板２の強度低下が有効に防止されている。
【００３３】
この実施形態で用いるバッテリ５は、図７及び図８に示すように、前記天板２の凹部６１に埋没する厚み５ｔと、当該凹部６１の天板幅方向の内寸６１ｗに略等しい幅寸法５ｗと、当該凹部６１の奥行き方向の内寸６１ｄよりも大きい奥行き寸法５ｄとを有するもので、バッテリ５をバッテリ収納部６ａ、６ｂに収納して裏板６２を取り付けた状態で、バッテリ５が凹部６１と裏板６２との間に挟まれて固定され、バッテリ５の後縁側は凹部６１から食み出して配線取出口２６内の配線空間Ｓに位置する寸法関係にある。ただし、このような蓋構造を採用する場合、バッテリ５と天板２の裏面に設けた凹部６１の内面との間、或いはバッテリ５と裏板６２の内面との間に隙間やすべりが存するときに、天板２のフラップ動作や移動によってバッテリ収納部６ａ、６ｂ内でバッテリ５がガタつくおそれがある。そこで、図２に示すように、裏板６２を係止部材である摩擦シート６３を介してバッテリ５に圧着させるようにしている。この摩擦シート６３は、予め裏板６２側に貼着しておいてもよい。すなわち摩擦シート６３は、裏板６２の取り付け時にバッテリ５と係り合い、天板２の姿勢にかかわらずバッテリ５の位置を保持する役割を果たす。勿論、係止部材は天板２の裏面側に設けておくこともできる。
【００３４】
バッテリ５の後縁側にはコード引出部５ａが設けてあり、対向位置にある同じ仕様のバッテリ５との間に所定間隔を隔てて背合わせに配置される。対向位置にある一対のバッテリ収納部６ａ、６ｂは、一対のバッテリ５の互いのコード引出口５ａが干渉しないように、天板幅方向Ｘに沿って凹部６１の位相がピッチＰだけずらせてある。配線空間Ｓ側に食み出したバッテリ５の後縁側の上面には、給電電圧や給電状態等の給電情報を示すＬＥＤ等を用いたバッテリ表示部５ｃが設けてある。上記のように、バッテリ５は天板２の凹部６１に埋没して配されるとともに、天板２の裏面すなわち凹部６１の下面と裏板６２との間に挟まれているため、図４のように起立させても凹部６１の内面に支持され、或いは厚み方向に挟持されて、所定の位置を保持される。
【００３５】
そして、配線空間Ｓの上方に位置する配線取出口２６を内部の配線空間Ｓとともに閉止するために、図１に示すようにカバー８を設けている。この実施形態では、前述した天板受部材２２やチャネル材７１、裏板６２等がスチールで構成されており、これとの関係で、カバー８には配線取出口２６に装着した位置でこれらに吸着する図示しない保持手段たるマグネットを設けて、フラップ動作中にカバー８の閉止状態を維持することを可能としている。図８で右側の網掛けを付したものがカバー８であり、閉止位置にあるカバー８の側方に配線空間Ｓの一部を開放する開放部８ｚを設けて配線の引き出しを可能にするとともに、バッテリ５の一部に設けられて給電能力や給電状態等の給電情報を表示するバッテリ表示部５ｃがかかる開放部８ｚから視認可能としている
【００３６】
前記幕板１５は、図２、図７及び図９に示すように、板状の幕板本体１５ａの下端側に上向きチャネル状の電源ユニット収納部１５ｂを構成し、コードリールＵ１や変圧器Ｕ２等の電源ユニットＵを収納可能なもので、前記配線空間Ｓ，７Ｓの下方に位置づけられている。この幕板１５は、図３に示す天板２の使用位置２（Ｐ）で天板奥行き方向Ｙに沿って下肢空間をほぼ等分する位置にあり、天板２がフラップして図４に示す起立位置２（Ｑ）にあるときに当該幕板１５の側方に天板２が平行に密接する。図２に示すコードリールＵ１は引出口を上方に向けて電源ユニット収納部１５ｂに固定されている。
【００３７】
すなわち、このフラップテーブルＴは、例えば図１に示す天板奥行き方向Ｙの各天板縁部２ｍ、２ｎにそれぞれ２人ずつが対面状態で着座して、それぞれがパーソナルコンピュータ等の電子機器類を配線取出口２６の内部に形成された配線空間Ｓを介して最寄のバッテリ５に接続し、給電を受けることができるものである。
【００３８】
なお、図９に符号Ｄで示すものは充電ドックである。この充電ドックＤは、扁平な中空板状のスタンド９１の平面視Ｔ字をなす位置にベース９２を取り付けて自立させたもので、スタンド９１の内部に電源ユニット９１ｂを有し、小口の複数個所に電源供給口９１ａを有している。
【００３９】
この充電ドックＤは、電源供給口９１ａを提供する機能と、フラップテーブルＴを集合させる機能とを兼ね備える。すなわち、フラップさせた状態でテーブルＴを移動させ、天板２がスタンド９１に平行となる姿勢で近づけると、フラップテーブルＴの脚体１を構成するベース脚１２のキャスタ１２ａに対して前記ベース９２が車止めとなり、所定位置で停止する。この位置で、前記電源ユニット収納部１５ｂに収納したコードリールＵ１からプラグを引き出して前記電源供給口９１ａに差し込むことで、収納されている間に各バッテリに対して充電を行うことができる。
【００４０】
その際、天板２を起立させた状態で、一のフラップテーブルＴに他のフラップテーブルＴを斜め方向から近づけることによって、ベース脚１２，１２同士が干渉する位置で天板２，２同士が平行に近接して水平スタックが実現可能とされており、前記充電ドックＤの近くに整然と集合させて、同じく電源供給口９１ａにプラグを差し込んで各バッテリ５に対する充電を行うことができる。
【００４１】
他にも、充電ドックＤに対するフラップテーブルＴの整列の態様は種々に変形実施することができる。
【００４２】
以上のように、本実施形態のフラップテーブルＴは、フラップ動作を行う天板２に対し、そのフラップ動作の中心となる軸線である支軸ｍ１と直交する天板奥行き方向Ｙの中央部の表面に配線取出口２６を設けたので、天板奥行き方向Ｙの両側に位置する天板縁部ｍ、ｎからの利用を始めとして、各部位からのアクセスをまんべんなく行うことができ、集線処理も容易となって、フラップテーブルであっても電子機器類を利用し易い環境を有効に提供することができる。
【００４３】
その際、このような配線取出口２６を天板２の中央に設けることで、配線取出口２６を挟んで天板奥行き方向Ｙの使用領域の一部が分断されるが、天板２の配線取出口２６を挟んで幅方向Ｘの両縁部を、分断された使用領域にまたがるように配置したブラケット２６、２６を介して脚体１，１に支持させているので、天板２の強度を有効に確保することができる。
【００４４】
この場合、フラップ動作の中心となる軸線である支軸ｍ１も、前記天板奥行き方向Ｙに沿って当該天板２の中央部付近に設定しているので、フラップ動作時に天板２が大きく跳ね上がることがなくなるとともに、配線取出口２６を天板奥行き方向Ｙに沿って中央部に設けてもフラップ動作時に配線取出口２６の上下変位が少なくなる。このため、配線取出口２６に外部から配線類を引き込んでいる場合等に配線が引きずられることを防止できるとともに、配線機器類に遠心力が掛かり難いことも相俟って、適切な配線状態を維持することができる。
【００４５】
具体的には、天板２の奥行き方向Ｙの中心位置Ｃが、フラップ動作の中心となる軸線である支軸ｍ１の位置に対して天板奥行き方向Ｙに沿ってオフセットさせてあるので、天板２の奥行き方向中央部に配線取出口２６を設けても、配線取出口２６に出入りする配線類と干渉することなく支軸ｍ１の軸心上にトーションバー４等を有効に配置する構成が可能となる。
【００４６】
この場合、天板奥行き方向Ｙの中央部（中心位置Ｃ）の下方に幕板１５を設け、フラップ動作時に天板２が幕板１５の側方に平行に起立するように構成しているので、対面使用時に幕板１５を下肢空間の邪魔にならない中央位置に仕切り的に配置する構成と、フラップ動作時に天板２との干渉を回避する構成とを好適に両立させることができる。
【００４７】
また、配線取出口２６の中に、天板奥行き方向Ｙに沿って二方が少なくとも閉止された配線空間７Ｓを形成しているので、フラップ動作をしても、配線が配線空間７Ｓから脱落することを有効に防止することができる。
【００４８】
特に、本実施形態では天板２の幅方向の縁部を可動ブラケット２１を介して脚体１に支持させ、可動ブラケット２１，２１間を天板受部材２２で連結しているが、その天板受部材２２を利用して前記配線空間７Ｓを閉じるための配線ダクト７を構成しているので、いたずらに部品点数を増やすことなく、支持状態の安定した配線空間７Ｓを有効に形成することができる。
【００４９】
さらに、左右の可動ブラケット２１，２１内にロック位置と非ロック位置の間で作動可能なロック片２３を設けて、ロック片２３，２３の間を天板受部材２２に沿って平行に延びる連動軸２４で接続し、両ロック片２３，２３を脚体１の一部に係り合わせて天板２を使用位置又は起立位置の何れかに選択的にロックするものであり、前記配線ダクト７Ｓが前記連動軸２４を配線取出口２６から遮蔽する範囲に亘って配置されているので、配線ダクト７に単に配線空間７Ｓを形成するだけでなく、配線取出口２６の見栄えを向上させる役割をも担わせることができる。
【００５０】
さらにまた、前記天板表面２１の配線取出口２６を開閉する位置に、カバー８を、保持手段であるマグネットを介してフラップ動作中に閉止状態を維持し得る状態で配置しているので、フラップ動作中にカバー８が脱落することを有効に防止して、フラップテーブルＴの中央に配線機能を持ち込む構成を実効あらしめることができる。
【００５１】
この場合、閉止位置にあるカバー８の側方に配線空間Ｓの一部を開放する開放部８ｚを設けて配線の引き出しを可能にしているので、カバー８を閉じた状態で天板表面２１をパーソナルコンピュータ等の作業面として有効に活用することができる。
【００５２】
なお、各部の具体的な構成は、上述した実施形態のみに限定されるものでない。
【００５３】
例えば、本発明の機能を発揮するにあたって、天板は楕円形状である必要はなく、矩形状、或いは多角形状等であっても構わない。
【００５４】
また、カバーの保持手段には、マグネット以外に、弾性爪を適宜部位に弾性的に係り合わせる構造等も採用することができる。
【００５５】
さらに、動作中心となる軸線は必ずしも終始一定位置である必要はなく、移動しても構わない。また、リンク等によりフラップ動作が与えられる場合には、仮想の軸線であってもよい。
【００５６】
さらにまた、図１０に示すように天板１０２を完全に分断してその間に配線取出口１２６を設けても、天板１０２の配線取出口１２６を挟んで幅方向Ｘの両縁部を、前記分断された両領域にまたがるようにブラケット１２１を配置して、当該ブラケット１２１を脚体１０１に支持させても、天板強度を確保しつつ当該天板１０２の中央に配線取出口１２６を有効に形成することができる。
【００５７】
その他の構成も、本発明の趣旨を逸脱しない範囲で種々変形が可能である。
【符号の説明】
【００５８】
１…脚体
２…天板
７…配線ダクト
７Ｓ…配線空間
８…カバー
８ｚ…開放部
１５…幕板
２１…可動ブラケット
２２…天板受部材
２３…ロック片
２４…連動軸
２６…配線取出口
Ｃ…天板奥行き方向の中心位置
ｍ１…軸線である支軸
Ｔ…フラップテーブル
Ｙ…天板奥行き方向
【図１】
0005419037.tif 000002
【図２】
0005419037.tif 000003
【図３】
0005419037.tif 000004
【図４】
0005419037.tif 000005
【図５】
0005419037.tif 000006
【図６】
0005419037.tif 000007
【図７】
0005419037.tif 000008
【図８】
0005419037.tif 000009
【図９】
0005419037.tif 000010
【図１０】
0005419037.tif 000011